(57)【要約】【課題】  操作性および走行性に優れた自転車用手袋の提供を課題とする。【解決手段】  自転車用グローブ４では、裏地Ａ２は手に対し滑りにくい生地とされるとともに、小指球筋Ｕ３に相当する手掌Ｕ２部分として、手掌部８に滑り部材１２を設けた構成であるから、グリップＧに対して滑り易く、グリップＧを把持すると自転車用グローブ４が着いていきやすく、したがってハンドル操作やブレーキ操作あるいはギャチェンジなどの操作時の操作性や、立ち漕ぎ座り漕ぎなどの走行時での走行性が向上する。【選択図】  図３
2019189968.tif 000002
【特許請求の範囲】
【請求項１】
自転車用手袋であって、
手掌に装着される手掌部を備え、
前記手掌部における小指球筋の手首寄りに滑り部分を備え、該滑り部分は、外面における自転車のグリップに対する面方向への滑りが、内面における前記面方向の滑りよりも滑り易いことを特徴とする自転車用手袋。
【請求項２】
前記滑り部分は、前記手掌部の小指側の側部から、前記手掌の中心までの領域で画定されている請求項１に記載の自転車用手袋。
【請求項３】
自転車用手袋であって、
手掌に装着される手掌部を備え、
前記手掌部における小指球筋の手首寄りに、切欠部が形成されていることを特徴とする自転車用手袋。
【発明の詳細な説明】
【技術分野】
【０００１】
本発明は、自転車用手袋に関する。
【背景技術】
【０００２】
特に比較すべき背景技術はないが、下記特許文献１にスポーツ手袋として、バイク（オートバイ）に搭乗するユーザが装着するための手袋が例示されている。特許文献１の手袋では、手掌部（手のひら）の一部に、発泡ゴムが縫着されている。特許文献１によれば、ユーザが手袋を装着した状態において、発泡ゴムによって、手袋を介してグリップから伝動されるユーザへの衝撃を和らげる働きをする、と記載されている。
【０００３】
下記特許文献２には、バイク用の手袋が例示されている。特許文献２の手袋では、手掌部の中央より四指方向の半部が、小指側に傾斜してなる構成とされる。特許文献２によれば、ユーザが手袋を装着してグリップを把持した際に、手袋がなじんでたるみが生じない、と記載されている。
【先行技術文献】
【特許文献】
【０００４】
【特許文献１】特開２００６−２６５８０４号公報
【特許文献２】実開昭５６−１６０９１９号公報
【発明の概要】
【発明が解決しようとする課題】
【０００５】
ところで、ユーザが自転車に搭乗する場合には、自転車用手袋が装着される。そしてユーザが自転車用手袋を装着した状態では、その操作として、グリップを把持して進行方向を定めたり、ブレーキを掛けたり解除したりする。特に自転車がロードバイクであれば、ユーザの操作として、上または、下ハンドルの把持をして進行方向を定め、あるいは上または、下のハンドルを把持しながらブレーキを掛け、あるいはシフトの変換がされる。また、ユーザによる走行姿勢としては、上記操作をしつつ、座り漕ぎ（シッティング）、立ち漕ぎ（ダンシング）等の動作となる。
【０００６】
これに対して、特許文献１，２に記載のバイク用の手袋では、上記のようなユーザによる操作、走行姿勢が頻繁に行われることがないことから、自転車用手袋としては適さず、操作性および走行性を確実なものとするには至らない。
【０００７】
そこで本発明は、操作性および走行性に優れた自転車用手袋の提供を課題とする。
【課題を解決するための手段】
【０００８】
本発明は、自転車用手袋であって、手掌に装着される手掌部を備え、前記手掌部における小指球筋の手首寄りに滑り部分を備え、該滑り部分は、外面における自転車のグリップに対する面方向への滑りが、内面における前記面方向の滑りよりも滑り易いことを特徴としている。
【０００９】
自転車用手袋において、発明者らは、鋭意努力の結果、操作や走行姿勢等に基づいて知見をみるに至った。すなわち、自転車用手袋においてこれを装着したユーザは、グリップに対する操作の切替や、走行姿勢に対する切替として、手掌の小指球筋の一部に集中している、との知見を得た。
【００１０】
そこで、上記構成を備えた本発明の自転車用手袋によれば、手掌部における小指球筋の手首寄りの外面に滑り部分を備えたことにより、ユーザが自転車用手袋を装着した状態で、グリップを把持してのハンドル操作やブレーキ操作あるいはギャチェンジなどの操作時や、立ち漕ぎ座り漕ぎなどの走行時に、自転車用手袋に対して手掌部は滑りにくく、グリップに対して自転車用手袋は滑り易くなるため、操作時や走行時に自転車用手袋が手に対してずれないことから操作性や走行性がよい。
【００１１】
本発明では、前記滑り部分は、前記手掌部の小指側の側部から、前記手掌の中心までの領域で画定されている構成を採用することができる。
【００１２】
上記構成の自転車用手袋では、手掌部の一方側から、手掌の中心までの領域で滑り部分が画定されているから、前記走行時や走行時に、必要かつ充分な領域で滑る。
【００１３】
本発明は、自転車用手袋であって、手掌に装着される手掌部を備え、前記手掌部における小指球筋の手首寄りに、切欠部が形成されていることを特徴とする。
【００１４】
上記構成を備えた本発明の自転車用手袋によれば、手掌部における小指球筋の手首寄りに切欠部を備えたことにより、ユーザが自転車用手袋を装着した状態で、グリップを把持してのハンドル操作やブレーキ操作あるいはギャチェンジなどの操作時や、立ち漕ぎ座り漕ぎなどの走行時に、自転車用手袋に対して手掌部は、切欠部によりグリップに直接触れることで滑りにくく、グリップに対して自転車用手袋は滑り易くなるため、操作時や走行時に自転車用手袋が手に対してずれないことから操作性や走行性がよい。
【発明の効果】
【００１５】
本発明の自転車用手袋によれば、手掌部における小指球筋の手首寄りの外面に滑り部分を設けるか、切欠部が形成されているため、自転車用手袋の操作時や走行時に、自転車用手袋がずれにくいことから、操作性および走行性に優れる。
【図面の簡単な説明】
【００１６】
【図１】本発明の一実施形態を表す斜視図であり、グリップの幅方向中央で切断した状態での自転車用グローブの、上ハンドルの把持状態を示す斜視図である。
【図２】同じく下ハンドルの把持状態を示す斜視図である。
【図３】同じく自転車用グローブの正面図である。
【図４】同じく図３におけるＸ―Ｘ線端面図である。
【図５】同じく手のひらを実線で表し、自転車用グローブを仮想線で表した正面図であり、小指球筋と滑り部分とを対応させた正面図である。
【図６】本発明の第二実施形態の自転車用グローブを表した正面図であり、ユーザが自転車用グローブを装着した正面図である。
【発明を実施するための形態】
【００１７】
以下、本発明の一実施形態に係る自転車用手袋（以下、自転車用グローブと称する）を、図１ないし図４を参照しつつ説明する。
【００１８】
まず、図１および図２を参照して、ロードバイクとして一般的な、自転車用グリップ（以下単に「グリップ」と称する）の、概ねの構成を説明する。グリップＧは、杆状に形成された上ハンドル１、および下ハンドル２と、上ハンドル１に設けられブレーキ３を備える。また、ブレーキ３は、変速機（図示せず）の変換レバーとして兼用される。
【００１９】
次に、自転車用グローブ４の構成を詳細に示す。この自転車用グローブ４は、左右一対でしかも左右対称形状で設けられる。ここでは、左手の自転車用グローブ４の構成を例に、右手の自転車用グローブ４に兼用して説明する。
【００２０】
自転車用グローブ４は、図１ないし図３に示すように、手の表裏の構成として、手の甲（手の表側）に装着される表地Ａ１と、手のひら（手の裏側）に装着される裏地Ａ２とから、縫着により一体的に形成されてなる。図４に示すように、表地Ａ１と裏地Ａ２とでは、表地Ａ１のほうが厚手であり裏地Ａ２のほうが薄手である。これは、表地Ａ１は防寒対策のためであり、これに対し裏地Ａ２が薄手なのは、グリップＧの操作性に寄与するためである。表地Ａ１と、裏地Ａ２として、例えば、人工皮革としてナイロン：６０％，ポリウレタン：４０％の生地が用いられている。
【００２１】
また、自転車用グローブ４は、丈方向の構成として、ユーザ（サイクリスト）Ｕの手首Ｕ１に装着される手首部５と、手全体に装着される被覆部６とから、縫着により一体的に形成されてなる。
【００２２】
具体的に、手首部５は、ユーザＵの手首Ｕ１全体を覆うように装着される。但し、手首部５においては、表地Ａ１側の一部である両脇部Ａ３が裏地Ａ２に延長されて、裏地Ａ２に縫着されている。この両脇部Ａ３は、防寒対策のために厚手になっており、両脇部Ａ３に挟まれる裏地Ａ２は、グリップＧの操作性に寄与するために薄手になっている。
【００２３】
被覆部６は、手全体（手首部５以外）を被覆するよう装着される。この被覆部６は、手指部７と手掌部８とから構成される。手指部７は、五指の指を被覆する。手掌部８はユーザＵの手掌Ｕ２を被覆する。
【００２４】
自転車用グローブ４をユーザＵの手に装着した状態では、手指部７に、ユーザＵの中指Ｆ1、薬指Ｆ２（図５参照）の「遠位指節間関節」、「近位指節間関節」に相当する部位で、手指股部１０が配置されている（図３参照）。手指股部１０は、裏地Ａ２を、幅方向の楕円形に切除して、しかもこの切除部分を埋めるように設けられている。具体的には、手指股部１０は、裏地Ａ２の切除部分を、裏地Ａ２と同一の生地によって、裏地Ａ２の裏側から周囲で縫着されてなる。なお、手指股部１０は、中指Ｆ１においては示指Ｆ４側、薬指Ｆ２においては中指Ｆ１側に配置されている。
【００２５】
同様に、手掌部８では、五指のうち母指Ｆ３から示指Ｆ４（図５参照）の付け根にかけて、手掌股部１１が配置されている（図３参照）。手掌股部１１は、母指Ｆ３から示指Ｆ４の付け根にかけ、裏地Ａ２を丈方向に楕円形に切除して、しかもこの切除部分を埋めるように設けられている。具体的には、手掌股部１１は、裏地Ａ２の切除部分を、裏地Ａ２と同一の生地によって、裏地Ａ２の裏側から周囲で縫着されてなる。
【００２６】
前述したように、自転車用グローブ４は、手の甲に装着される表地Ａ１と、手のひらに装着される裏地Ａ２とから構成されるが、これは、ユーザＵの手に確りとフィットする生地が選択される。そして、手掌部８では、所定の部位に滑り部材１２（滑り部分に相当）が配置されている。滑り部材１２は、裏地Ａ２とは別の生地で構成されている。滑り部材１２は、図１および図２を参照すれば、杆状に形成されたグリップＧの略軸方向に沿って形成され、図３を参照すれば、略丈方向に滑り易く設定されている。
【００２７】
滑り部材１２は、グリップＧに対する滑り性が、裏地Ａ２の手掌Ｕ２に対する滑り性よりも滑り易く構成される。具体的には、滑り部材１２を形成する生地は、裏地Ａ２よりも滑りのよい生地としている。この滑り部材１２として、例えば、人工皮革（スエード）としてポリエステル：８０％，ポリウレタン：２０％の生地が用いられる。また、滑り部材１２上にエンボス加工等による波状の柄を施して、表面の凹凸が設けられることにより、滑り性を確保することもできる。
【００２８】
滑り部材１２は、指先側および手首側に沿う丈方向に縞模様が形成されることで、自転車用グローブ４のうち、他の生地に対して滑動させ易い材料で構成されている。
【００２９】
滑り部材１２は、裏地Ａ２の表面（外面に相当する）に重ね合わされ、周囲を縫着して、裏地Ａ２に、縫着により設けられている。図５に示すように、滑り部材１２は、手掌Ｕ２のうちの小指球筋Ｕ３に対応する領域の一部に配置されている。
【００３０】
滑り部材１２において、小指球筋Ｕ３に対応する領域の一部とは、自転車用グローブ４の幅方向では、手掌部８の幅方向における小指Ｆ５側の側部から、手掌Ｕ２の幅方向の中心までの領域で画定された部分である。また、滑り部材１２は、中手指節関節から第五中指Ｕ４の手首側端部の領域で画定されている。滑り部材１２は、幅方向で一方側に相当する小指側片１３ａでは、手掌Ｕ２の縁でありその縁に沿った方向に配置され、幅方向でほぼ中心側に相当する中心側片１３ｂでは、丈方向に沿った方向に配置される。
【００３１】
滑り部材１２において、小指球筋Ｕ３に対応する領域の一部とは、自転車用グローブ４の丈方向では、手首Ｕ１から、遠位横手掌皮線で画定された部分である。また、本実施形態の場合、感情線は手指の手前（手首側）に位置した場所にある。滑り部材１２は、丈方向で手首Ｕ１に近い側に相当する手首側片１３ｃでは、手掌部８の中心に向かって、丈方向および幅方向に対して傾斜して配置され、丈方向の感情線側に相当する手指側片１３ｄでは、幅方向に沿って方向に配置されている。
【００３２】
滑り部材１２は、小指側片１３ａ、中心側片１３ｂ、手首側片１３ｃ、および手指側片１３ｄによって、略台形に形成されている。また、滑り部材１２は、手掌部８に対し、前記手掌股部１１と対角線上に配置される。
【００３３】
本実施形態によれば、上記構成を備えた自転車用グローブ４が左右一対で、しかも左右対称形状で設けられる。
【００３４】
上記構成を備えた自転車用グローブ４では、ユーザＵは、手首Ｕ１に手首部５を装着して、被覆部６を手掌に装着する。このようにした状態で自転車に搭乗し、図１あるいは図２に示すように、ユーザＵはグリップＧを把持して、走行する。
【００３５】
本実施形態における自転車用グローブ４では、手指部７の中指Ｆ１および薬指Ｆ２が、グリップＧを把持する際に最も頻繁に曲げられる指であることから、中指Ｆ1、薬指Ｆ２の「遠位指節間関節」、「近位指節間関節」に相当する部位で、手指股部１０が設けられている。
【００３６】
手指股部１０は、裏地Ａ２の切除部分を、裏地Ａ２と同一の生地によって、裏地Ａ２の裏側から周囲で縫着されてなる。つまり、頻繁に動作される中指Ｆ１、薬指Ｆ２において手指股部１０が裏地Ａ２の裏側から縫着されていることで、上記動作をする際にも裏地Ａ２の段差ぶんだけ、中指Ｆ１、薬指Ｆ２の手指股部１０に皺が寄り易く、したがって、中指Ｆ１、薬指Ｆ２の他の部分の生地に対して皺が寄りにくい。
【００３７】
自転車用グローブ４は、従来から、グリップＧを操作する場合には、母指Ｆ３から示指Ｆ４の付け根にかけても、頻繁に動作されることが知られている。そして自転車用グローブ４は、五指のうち母指Ｆ３から示指Ｆ４の付け根にかけて、手掌股部１１が配置されている。手掌股部１１は、母指Ｆ３から示指Ｆ４の付け根にかけ、裏地Ａ２と同一の生地によって、裏地Ａ２の裏側から周囲で縫着されてなる。つまり、頻繁に動作される母指Ｆ３から示指Ｆ４の付け根にかけて手掌股部１１が裏地Ａ２の裏側から縫着されていることで、上記動作をする際にも裏地Ａ２の段差分だけ、手掌股部１１に皺が寄り易く、したがって、手掌部８の他の部分の生地に対して皺が寄りにくい。
【００３８】
このように、自転車用グローブ４は、手指股部１０が配置されていること、および手掌股部１１が配置されることにより、ユーザＵがグリップＧを操作する場合に、全体として皺が寄りにくいものである。
【００３９】
ところで、ユーザＵは、グリップＧを把持して操作する際に、ユーザＵの操作として、上ハンドル１の把持、下ハンドル２の把持をして進行方向を定める。あるいは上ハンドル１を把持しながらブレーキ３を掛け、また下ハンドル２を把持しながらブレーキ３を掛け、あるいはシフトの変換がされる等の操作をする。ユーザＵによる走行姿勢としては、座り漕ぎ（シッティング）、立ち漕ぎ（ダンシング）等の動作であり、または上記操作をしつつ、座り漕ぎ、立ち漕ぎをする場合もある。
【００４０】
発明者らは、これらユーザによる種々の操作、走行姿勢の切替において、従来ならば、グリップに対して滑りにくい自転車用グローブという視点において、これを満たすものとされていた。しかしながら、グリップに対し、手（素手）に近い操作性を得るために、発明者らは鋭意努力の結果、手と自転車用グローブの間のずれもまた、最小にすることに到達し、この新しい視点を開発のきっかけとしている。すなわち、自転車用グローブ４では、手掌Ｕ２における小指球筋の一部対応部分が、集中的に稼動しているとの知見を得、小指球筋の一部対応部分が固定されることで、自転車用グローブ４全体として皺が寄りやすいという知見を得た。
【００４１】
本実施形態における自転車用グローブ４では、裏地Ａ２は手に対し滑りにくい生地とされるとともに、小指球筋Ｕ３に相当する手掌Ｕ２部分として、手掌部８に滑り部材１２を設けた構成である。すなわち、本実施形態の自転車用グローブ４を装着すれば、自転車用グローブ４は手掌Ｕ２に対して滑りにくくなり、自転車用グローブ４はグリップＧに対して滑り易くなる。このため、グリップＧを把持しているときの手の動きに対し、自転車用グローブ４が着いてきやすい。換言すれば、自転車用グローブ４が、ユーザＵの手に一体的になる。したがって、グリップＧを把持してのハンドル操作やブレーキ操作あるいはギャチェンジなどの操作時の操作性や、立ち漕ぎ座り漕ぎなどの走行時での走行性が向上する。
【００４２】
そして、自転車用グローブ４は、手の甲に装着される表地Ａ１と、手のひらに装着される裏地Ａ２とから構成され、ユーザＵの手に確りとフィットする生地が選択される。このため、自転車用グローブ４としてユーザＵの手に充分にフィットし易く、ユーザＵとしては自転車用グローブ４を装着していることに過剰な違和感がなくなることから、操作性が快適であり、ひいては走行性が良好に保てる。
【００４３】
滑り部材１２は、裏地Ａ２に重ね合されている。つまり、滑り部材１２は、裏地Ａ２に対して二重構造である。そして滑り部材１２は、グリップＧに当接したり擦れたりする部分なので、したがって丈夫になり、手掌Ｕ２へのクッションにもなる。また滑り部材１２は、表面（外面）に重ね合されているため、表面に対して厚手となっている。このため、自転車用グローブ４は、ユーザＵにとって違和感がない状態で装着することができる。
【００４４】
滑り部材１２は、手掌部８での手掌Ｕ２における小指球筋Ｕ３の一部対応部分であるが、手首側片１３ｃでは手掌Ｕ２の中心に向かって傾斜することにより、ユーザＵの操作性を余剰に邪魔することがない。また、小指側片１３ａは手掌Ｕ２の縁に沿った方向に配置されているから、手掌Ｕ２の操作に余剰に邪魔することがない。また、中心側片１３ｂ、手指側片１３ｄについても、前記一部対応部分に対して余剰な領域を超えず、したがって、滑り部材１２として無駄がなく、手掌Ｕ２の操作を邪魔しない。
【００４５】
なお、小指側片１３ａは手掌Ｕ２の縁に沿った方向に配置されていることで、ユーザＵの手首Ｕ１のねじり動作でも邪魔にならない。中心側片１３ｂは、幅方向でほぼ中心側で丈方向に沿って形成されているから、母子Ｆ３の母子球筋の邪魔にならない。手首側片１３ｃが小指球筋の手首側端部に配置され、手指側片１３ｄが小指球筋の手指側に配置されているため、操作時や走行時に自転車用グローブ４が動くから、グリップＧに当接する部分を広くサポートできる。
【００４６】
次に、本発明の第二の実施形態を、図６を参照して説明する。この自転車用グローブ４が第一の実施形態の自転車用グローブ４と異なる部分は、手指部７は、五指の指を被覆するものではなく、手指部７は五指における手掌Ｕ２の付け根部分を覆い、「近位指節間関節」に相当する部位で切除されていることである。また、第一の実施形態で示す、手指股部１０、手掌股部１１は備えていない。
【００４７】
さらに、第一の実施形態における自転車用グローブ４は、滑り部材１２を設けていた。これに対し、第二の実施形態における自転車用グローブ４は、滑り部材１２を設ける代わりに、手掌部８における小指球筋Ｕ３の手首寄りに、切欠部１５が形成されている。また、表地Ａ１は、手首部５において、母指Ｆ３に対応する母子球筋（図示せす）の一部に巻かれている。他の構成は、上記第一の実施形態と同様である。
【００４８】
切欠部１５は、裏地Ａ２を切除して設けられている。この切欠部１５は、前記滑り部材１２と、ほぼ同等の場所に形成されている。なお、小指側片１３ａは、手掌Ｕ２の縁に沿った方向に配置され、中心側片１３ｂは、幅方向でほぼ中心側で丈方向に沿って形成され、手首側片１３ｃ、および手指側片１３ｄでは、幅方向に沿った方向に配置されている。なお、手首側片１３ｃは、第一の実施形態における滑り部材１２と同一の方向に沿うこともできる。
【００４９】
上記第二の実施形態において、小指球筋Ｕ３の手首寄りに、切欠部１５が形成されていることで、手掌Ｕ２とグリップＧ（図１および図２参照）が直接触れることになる。このように、手掌Ｕ２とグリップＧが直接触れることになるから、ユーザＵの操作（手掌Ｕ２の移動）によって、自転車用グローブ４は、手掌Ｕ２の動きに追従する。したがって、表地Ａ１、裏地Ａ２が手にフィットすれば、自転車用グローブ４全体として、皺が寄りにくくなり、上記と同様、ユーザＵとしては自転車用グローブ４を装着していることに過剰な違和感がなくなることから、操作性が快適であり、ひいては走行性が良好に保てる。
【００５０】
本発明は、上記実施形態に限定されず、本発明の主旨を逸脱しない範囲で種々変形が可能である。その他、各部の具体的構成についても上記実施形態に限られるものではない。
【００５１】
例えば、上記第一の実施形態、および第二の実施形態において、小指側片１３ａの領域は、手掌Ｕ２の縁よりわずかに幅方向中心側に位置ずれしていてもよい。中心側片１３ｂは、幅方向中心より幅方向一側（小指側）に位置ずれしていてもよい。手首側片１３ｃの領域は、手指側片１３ｄから小指球筋Ｕ３の丈方向に沿っていることを前提であれば、手首部５に至るまでの間なら、何れの配置でもよい。また、手指側片１３ｄの領域は、小指球筋Ｕ３の丈方向に沿っていることを前提であれば、手指部７に至るまでの間なら何れの配置でもよい。
【００５２】
各実施形態において、滑り部材１２は、小指側片１３ａ、手指側片１３ｄ、手首側片１３ｃ、および手指側片１３ｄによって、略台形に形成されているがこれに限定されない。例えば、滑り部材１２は、手首側片１３ｃ、手指側片１３ｄ、および手指側片１３ｄが、小指側片１３ａの丈方向中心を中心とする円弧状になるよう形成することもできる。
【００５３】
第一の実施形態では、滑り部分が裏地Ａ２に重ね合わされた滑り部材１２である場合について説明した。しかしながら、滑り部材は、裏地Ａ２そのものを用いて、所定の領域としての手掌部８における小指球筋Ｕ３の手首寄りの外面に形成することもできる。すなわち、裏地Ａ２は手に対して滑りにくい生地とされ、裏地Ａ２を使い、滑り部分を含めて一枚で形成されることになる。そして、滑り部分の滑り易さは、その表面に対応する領域に、面方向に滑る加工（例えば、ラミネート加工）を施すことができる。
【００５４】
上記各実施形態では、滑り部分は、面方向に滑り易い、あるいは滑りにくいとしているが、この面方向には、例えば丈方向や幅方向という所定の一方向だけでなく、複数の方向をも含むものである。
【００５５】
本発明は上記実施形態に限定されず、自転車用グローブにおいて、滑り部分は、裏地よりも滑りにくい生地を、裏地の裏面（内面）に縫着することで形成することもできる。また、自転車用グローブにおいて、滑り部分は、滑り易い裏地の内面に滑りにくくなる加工を施すことで形成してもよい。
【００５６】
表地Ａ１および裏地Ａ２としては、その他の例として化学繊維であってもよく、滑り部材１２について加工する際には、表面処理としてラミネート加工に限らない。
【符号の説明】
【００５７】
１…上ハンドル、２…下ハンドル、３…ブレーキ、４…自転車用グローブ、５…手首部、６…被覆部、７…手指部、８…手掌部、１０…手指股部、１１…手掌股部、１２…滑り部材、１３ａ…小指側片、１３ｂ…中心側片、１３ｃ…手首側片、１３ｄ…手指側片、１５…切欠部、Ａ１…表地、Ａ２…裏地、Ａ３…両脇部、Ｆ１…中指、Ｆ２…薬指、Ｆ３…母指、Ｆ４…示指、Ｆ５…小指、Ｇ…グリップ、Ｕ…ユーザ、Ｕ１…手首、Ｕ２…手掌、Ｕ３…小指球筋、Ｕ４…第五中指
【図１】
2019189968.tif 000003
【図２】
2019189968.tif 000004
【図３】
2019189968.tif 000005
【図４】
2019189968.tif 000006
【図５】
2019189968.tif 000007
【図６】
2019189968.tif 000008